(57)【特許請求の範囲】
【請求項１】
ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記樹脂ケースは少なくとも向い合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆い、前記樹脂ケースの前記側板の略全体と密着していることを特徴とする点灯装置。
【請求項２】
前記樹脂ケースの前記一対の側板の高さが略同じである請求項１記載の点灯装置。
【請求項３】
前記複数の電子部品は、前記樹脂ケースの前記側板の一方寄りに高さの高い部品を配置し、前記側板の他方寄りに高さの低い部品を配置し、前記金属カバーは前記プリント基板の高さの高い部品側から高さの低い部品側へ傾斜している請求項１記載の点灯装置。
【請求項４】
前記樹脂ケースおよび前記金属カバーが共通の取付具により前記器具本体に取付けられた請求項１記載の点灯装置。
【請求項５】
天井埋め込み用の灯具を一端に設けた器具本体の前記灯具と同じ面の他端に取付けられた点灯装置であって、ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記金属カバーは前記樹脂ケースの器具本体への取付面以外のほぼ全体を覆い、前記樹脂ケースは少なくとも向い合った一対の側板が前記プリント基板の前記側板の近傍に設けられた電子部品の高さと略等しいかやや高い高さを有し、かつ前記一対の側板の対向方向と交差する方向の前記金属カバーの一側壁と前記金属カバーの上面との間の部分を傾斜面に形成し、前記一側壁が前記器具本体の前記他端側に位置する点灯装置。
【請求項６】
前記灯具は器具本体側が前記点灯装置から遠ざかるように細くなっており、前記金属カバーの前記一側壁に対向する他側壁と前記金属カバーの上面との間の部分に別の傾斜面が形成され、前記他側壁および前記別の傾斜面が前記灯具の細くなった部分に入り込んでいる請求項５記載の点灯装置。
【請求項７】
前記傾斜面に放熱孔を有する請求項６記載の点灯装置。
【請求項８】
前記傾斜面を有する側壁の前記傾斜面の下側に端子開口を有し、前記プリント基板の端部に設けた入出力端子を前記端子開口に露出するとともに、前記入出力端子の前記端子開口に露出する部分にリード線接続部および解除操作部を設けた請求項５記載の点灯装置。
【請求項９】
ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記樹脂ケースは向い合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆うとともに、樹脂ケースの前記側板以外の一対の側板に被さる側面にそれぞれ通気用開口部を有し、さらに前記通気用開口部の一方はその縁部が前記プリント基板の部品実装面の近傍に位置した部分を有する点灯装置。
【請求項１０】
前記通気用開口部の前記縁部は前記プリント基板の端面を露出させない位置で設けられている請求項９記載の点灯装置。
【請求項１１】
前記通気用開口部を結ぶ通気路の中心付近のプリント基板に点灯装置の寿命を決定する電子部品を実装した請求項９記載の点灯装置。
【請求項１２】
ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーと、前記金属カバーに取付けられて外部から電源線を接続するとともに前記プリント基板に接続する電源接続端子台とを備え、前記樹脂ケースは少なくとも向かい合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆っている点灯装置。
【請求項１３】
前記電源接続端子台は前記金属カバーの側面に設けた請求項１２記載の点灯装置。
【請求項１４】
前記樹脂ケースは少なくとも向い合った一対の側板が前記プリント基板の前記側板側の縁部の近傍に設けられた電子部品の高さと略等しいかやや高く形成され、前記電源接続端子台を前記側板を覆う前記金属カバーの側面に設けた請求項１２記載の点灯装置。
【発明の詳細な説明】
【０００１】
【発明の属する技術分野】
この発明は、天井埋込型のダウンライト等に適用されるランプを点灯する点灯回路部を収納する点灯装置に関するものである。
【０００２】
【従来の技術】
従来の点灯装置を図４２ないし図４５に示す。すなわち、図４２はランプ（図示せず）を点灯させるため回路接続された複数の電子部品３００を搭載したプリント基板３０１が器具本体３０２に組み込まれた例である。プリント基板３０１ははんだ面充電部３０３と器具本体３０２との絶縁耐圧を、樹脂製の絶縁板３０４をプリント基板３０１と器具本体３０２の間に挿入することによって確保し、プリント基板部品面充電部３０５と、器具本体３０２との絶縁耐圧は空間距離をとることにより確保している。図４２の従来例は器具本体３０２に電子部品３００を搭載したプリント基板３０１を組み込むスペースが確保できればコスト的に優れた特徴をもっている。
【０００３】
図４３の従来例は、ランプを点灯するために組み合わされた複数の電子部品３００を搭載したプリント基板３０１が金属製の点灯装置外殻３０６に組み込まれた例であり、電子部品３００の充電部と金属製の点灯装置外殻３０６の間にポリエステルフィルムの絶縁シート３０７を挿入し絶縁耐圧を確保している。この図４３は点灯装置の最も一般的な例であり、金属製の外殻３０６を有することにより、耐衝撃、耐火、耐熱等の安全面ですぐれた特徴を有する。
【０００４】
図４４の従来例は、ランプを点灯させるために組み合わされた複数の電子部品３００を搭載したプリント基板３０１が樹脂製の点灯装置外殻３０８に組み込まれた例であり、樹脂製の点灯装置外殻３０８を用いることにより、電子部品３００と他の充電部（点灯装置の外部の器具本体金属部等）との絶縁耐圧を確保している。この従来例は点灯装置の小型化にすぐれている。
【０００５】
図４５の従来例は図４３の従来例の点灯装置外殻３０６の形状の異なる他の例であり、基本的な内部構成は図４３と同様である。なお、３０９はリード線である。
【０００６】
【発明が解決しようとする課題】
図４２の従来例においては、器具本体３０２とプリント基板部品面充電部３０５との間に空間距離をとる必要があるため、器具の小型化が困難となる。また点灯装置として電子部品３００が露出した構造であるため、器具組立時により慎重な取扱いが必要となったり、点灯装置の故障が生じたときに器具ごと交換が必要となる場合が考えられる。
【０００７】
図４３および図４５の従来例においては絶縁シート３０７が必須となる等コストが高くなってしまう。
図４４の従来例においては、樹脂製の点灯装置外殻３０８を用いているため、器具組み込み後点灯装置外殻３０８が器具表面に露出すると、耐衝撃、耐火、耐熱等で問題が発生する場合が考えられる。たとえば外力等により点灯装置外殻３０８に割れや破損等が発生すると、電子部品充電部との絶縁が十分確保されずひどい時には感電や地絡等の原因となることも考えられる。
【０００８】
したがって、この発明の目的は、破損等がしにくく、小型化でき、低コストを図ることができる点灯装置を提供することである。
【０００９】
【課題を解決するための手段】
請求項１記載の点灯装置は、ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記樹脂ケースは少なくとも向い合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆い、前記樹脂ケースの前記側板の略全体と密着していることを特徴とするものである。
【００１０】
請求項１記載の点灯装置によれば、電子部品を収納する樹脂ケースの開口部を金属カバーで被覆することにより、電子部品と金属カバーおよび器具本体その他の金属部との絶縁が樹脂ケースにより達成できるので、電子部品と樹脂ケースとの距離を離す必要がなく、点灯装置の小型化が図れる。
また、器具本体は通常金属板が用いられるため点灯装置を器具本体に取付けると、樹脂ケースが露出する部分が少なくなり、特に外力が加わりやすいと思われる部分に金属カバーを取付けてあるので、外力に対する保護に対しても金属製外殻の従来例とほとんど変わらない効果がある。また従来例と比較して絶縁シートが不要であり、かつ樹脂製のケースを用いている分コストダウンが図れる。
【００１１】
また前記金属カバーが前記樹脂ケースの前記側板の略全体と密着しているため、樹脂が露出する部品がほとんどなくなるので、耐衝撃、耐火、耐熱等の安全性の面で従来例とほとんど変わらない効果がある。さらに金属カバーと樹脂ケースの側板を密着させることにより放熱効果が大きくなるため、部品の寿命および信頼性が向上するとともに、さらに小型化が可能となる。
【００１２】
請求項２記載の点灯装置は、請求項１において、前記樹脂ケースの前記一対の側板の高さが略同じであるものである。
請求項２の点灯装置によれば、請求項１の効果のほか、部品配置に対する設計の余裕度が増加するためさらに小型化が可能となる。
請求項３記載の点灯装置は、請求項１において、前記複数の電子部品は、前記樹脂ケースの前記側板の一方寄りに高さの高い部品を配置し、前記側板の他方寄りに高さの低い部品を配置し、前記金属カバーは前記プリント基板の高さの高い部品側から高さの低い部品側へ傾斜しているものである。
【００１３】
請求項３記載の点灯装置によれば、請求項１の効果のほか、器具本体と樹脂ケースの接触面の面積は電子部品の配置に制約を受ける分若干広くなる可能性があるが、点灯装置の体積を考えると小型化が可能である。とくに点灯装置の金属カバーの傾斜により低くなった位置にランプカバーを位置させることができるので、傾斜部分のスペースを有効に利用することができ、照明器具としての小型化が可能となる。また金属カバーの傾斜により器具本体の反射板と点灯装置との距離も離れるので、ランプからの放射熱の影響が小さくなり、部品の寿命および信頼性が向上する。
【００１４】
請求項４記載の点灯装置は、請求項１において、前記樹脂ケースおよび前記金属カバーが共通の取付具により前記器具本体に取付けられたものである。
【００１５】
請求項４記載の点灯装置によれば、請求項１と同様な効果があるほか、共通の取付具で器具本体に取付けることにより、点灯装置の確実な取付けができ、金属カバーが外れることなく充電部を確実に保護できるとともに、安全性が向上し、またプリント基板を収納した樹脂ケースの外側を金属カバーにより取付け固定することで電子部品が実装されたプリント基板の充電部保護、絶縁および固定が確実に行なえる。
【００１６】
請求項５記載の点灯装置は、天井埋め込み用の灯具を一端に設けた器具本体の前記灯具と同じ面の他端に取付けられた点灯装置であって、ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記金属カバーは前記樹脂ケースの器具本体への取付面以外のほぼ全体を覆い、前記樹脂ケースは少なくとも向い合った一対の側板が前記プリント基板の前記側板の近傍に設けられた電子部品の高さと略等しいかやや高い高さを有し、かつ前記一対の側板の対向方向と交差する方向の前記金属カバーの一側壁と前記金属カバーの上面との間の部分を傾斜面に形成し、前記一側壁が前記器具本体の前記他端側に位置するものである。
【００１７】
請求項５記載の点灯装置によれば、請求項１と同様な効果のほか、この点灯装置を器具本体に取付けて天井の埋込穴に挿通する際に、傾斜面を埋込穴の縁部にガイドさせることにより点灯装置が天井板に衝突する確率を減らし施工性の向上に寄与し、また衝突時の天井板および照明器具の双方への衝撃を緩和することができる。
【００１８】
請求項６記載の点灯装置は、請求項５において、前記灯具は器具本体側が前記点灯装置から遠ざかるように細くなっており、前記傾斜面が前記金属カバーの前記一側壁に対向する他側壁と前記金属カバーの上面との間の部分にも形成され、前記他側壁およびその傾斜面が前記灯具の細くなった部分に入り込んでいるものである。
請求項６記載の点灯装置によれば、請求項５と同様な効果のほか、器具本体に取付けられた灯具部の一部を傾斜面に接近することができるので、照明器具の小型化が図れる。
【００１９】
請求項７記載の点灯装置は、請求項６において、前記傾斜面に放熱孔を有するものである。
請求項７記載の点灯装置によれば、請求項６と同様な効果のほか、点灯装置内の空気の移動が促進される。
請求項８記載の点灯装置は、請求項５において、前記傾斜面を有する側壁の前記傾斜面の下側に端子開口を有し、前記プリント基板の端部に設けた入出力端子を前記端子開口に露出するとともに、前記入出力端子の前記端子開口に露出する部分にリード線接続部および解除操作部を設けたものである。
【００２０】
請求項８記載の点灯装置によれば、請求項５と同様な効果のほか、プリント基板の部品実装面積を減らすことなく、入出力端子のリード線の接続性および解除操作性がよく端子部の操作性のよい点灯装置を提供することができる。
請求項９記載の点灯装置は、ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーとを備え、前記樹脂ケースは向い合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆うとともに、樹脂ケースの前記側板以外の一対の側板に被さる側面にそれぞれ通気用開口部を有し、さらに前記通気用開口部の一方はその縁部が前記プリント基板の部品実装面の近傍に位置した部分を有するものである。
【００２１】
請求項９記載の点灯装置によれば、通気用開口部を通してプリント基板を有する樹脂ケースの内部が通気されるとともに電子部品が冷却される。
請求項１０記載の点灯装置は、請求項９において、前記通気用開口部の前記縁部は前記プリント基板の端面を露出させない位置で設けられているものである。
【００２２】
請求項１０記載の点灯装置によれば、請求項９と同様な効果のほか、プリント基板の充電部からの沿面距離を短縮できるので小型化を図れる。
請求項１１記載の点灯装置は、請求項９において、前記通気用開口部を結ぶ通気路の中心付近のプリント基板に点灯装置の寿命を決定する電子部品を実装しているものである。
【００２３】
請求項１１記載の点灯装置によれば、請求項９と同様な効果のほか、電子部品の寿命が延長できるので点灯装置の寿命を延長できる。
請求項１２記載の点灯装置は、ランプを点灯させるための複数の電子部品を搭載したプリント基板と、少なくとも一面に前記プリント基板組み込み用の開口部が設けられて前記プリント基板を収納する樹脂ケースと、前記樹脂ケースの開口部を覆う金属カバーと、前記金属カバーに取付けられて外部から電源線を接続するとともに前記プリント基板に接続する電源接続端子台とを備え、前記樹脂ケースは少なくとも向かい合った一対の側板が前記プリント基板の前記側板の近傍に設けられた電子部品の高さと略等しいかやや高い高さを有し、前記金属カバーは前記樹脂ケースの器具本体への取付面以外のほぼ全体を覆うものである。
【００２４】
請求項１２記載の点灯装置によれば、プリント基板を収納した樹脂ケースを覆う金属カバーに電源接続端子台を設けたため、電源接続端子台に接続される電源線たとえばＶＶＦ線などが無理やり押し込まれたり引っ張られたりしても樹脂ケースによりその応力が吸収されるので、プリント基板へのストレスが加わらない。
【００２５】
請求項１３記載の点灯装置は、請求項１２において、前記電源接続端子台が前記金属カバーの側面に設けたものである。
請求項１３記載の点灯装置によれば、請求項１２と同様な効果のほか、電源線とプリント基板からのランプ線が交わることなく配線することが可能となり、電源線を短く配線できるので、電源ラインへの端子雑音を低減でき、電源線やランプ線の外部接続端子への誤結線を防止でき、器具配線もすっきりした形状となる。
【００２６】
請求項１４記載の点灯装置は、請求項１２において、前記樹脂ケースが少なくとも向い合った一対の側板が前記プリント基板の前記側板側の縁部の近傍に設けられた電子部品の高さと略等しいかやや高く形成され、前記電源接続端子台を前記側板を覆う前記金属カバーの側面に設けたものである。
請求項１４記載の点灯装置によれば、請求項１２と同様な効果がある。
【００２７】
【発明の実施の形態】
この発明の第１の実施の形態を図１により説明する。すなわち、この点灯装置は、プリント基板１と、樹脂ケース２と、金属カバー３とを有する。
プリント基板１は、ランプ（図示せず）を点灯させるための複数の電子部品４を搭載している。実施の形態のプリント基板１は略四角形で一側縁に延出部１１を設け、延出部１１に入出力端子６を複数並設している。
【００２８】
樹脂ケース２は、少なくとも一面にプリント基板組み込み用の開口部５が設けられてプリント基板１を挿入し固定して収納するもので、プリント基板１をほぼ嵌合する箱形に形成されている。また樹脂ケース２の少なくとも向い合った２面にプリント基板１の複数の入出力端子６の並び方向に平行な方向の両側縁部の近傍に設けられた電子部品４ａ，４ｂの高さよりもやや高い側板２ａ，２ｂを形成している。そしてこの樹脂ケース２に舌状の取付片８を設け、取付片８に切欠により挿通部９を形成し、挿通部９にねじを用いた取付具１０を通して器具本体７を取付けている。
【００２９】
金属カバー３は、樹脂ケース２の開口部５を覆うものであり、樹脂ケース２の周側壁の外面に嵌合する周側板３ａを有し、入出力端子６を露出する端子開口３ｂをその一部に切欠により形成している。
この実施の形態によれば、電子部品４を収納する樹脂ケース２の開口部５を金属カバー３で被覆することにより、電子部品４と金属カバー３および器具本体７その他の金属部との絶縁が樹脂ケース２により弾性できるので、電子部品４と樹脂ケース２との距離を離す必要がなく、点灯装置の小型化が図れる。
【００３０】
また、器具本体７は通常金属板が用いられるため、図１のように点灯装置を取付けると、樹脂ケース２が露出する部分が少なくなり、特に外力が加わりやすいと思われる部分に金属カバー３を取付けてあるので、外力に対する保護に対しても金属製外殻の従来例とほとんど変わらない効果がある。従来例と比較して絶縁シートが不要であり、かつ樹脂製のケースを用いている分コストダウンが図れる。
【００３１】
なお、樹脂ケース２の側板２ａ，２ｂの高さは略等しくしてもよい。また他の側板も同様にその近傍の電子部品よりも高く形成してもよい。
この発明の第２の実施の形態を図２に示す。すなわち、第１の実施の形態との相違点は、樹脂ケース２の一対の対向する側板２ａ，２ｂの高さを略同じとしたものである。実施の形態では、樹脂ケース２の他の側板も側板２ａ，２ｂと略同じ高さにしている。
【００３２】
この実施の形態によれば、部品配置に対する設計の余裕度が増加するためさらに小型化が可能となる。
この発明の第３の実施の形態を図３に示す。すなわち、第２の実施の形態との相違点は、樹脂ケース２の側板２ａ，２ｂの略全体が金属カバー３の側壁で覆われるとともに金属カバー３と密着していることである。実施の形態では、他の側板をもその略全体を金属カバー３の側壁で密着被覆している。
【００３３】
この実施の形態によれば、樹脂が露出する部品がほとんどなくなるため、耐衝撃、耐火、耐熱等の安全性の面で従来例とほとんど変わらない効果がある。また金属カバー３と樹脂ケース２の側板２ａ，２ｂを密着させることにより放熱効果が大きくなるため、部品の寿命および信頼性が向上するとともに、さらに小型化が可能となる。
【００３４】
この発明の第４の実施の形態を図４に示す。すなわち、第３の実施の形態との相違点は、樹脂ケース２の側板２ａ寄りに高さの高い電子部品４ａを配置し、これに対向する側板２ｂ寄りに高さの低い電子部品４ｂを配置して、金属カバー３の上面３ｃが高さの差を吸収するように傾斜していることである。電子部品４ａと電子部品４ｂの中間の高さの残りの電子部品４は高い方から低い方へ順次プリント基板１に搭載される。また樹脂ケース２の側板２ａ，２ｂに隣接する側板２ｃ，２ｄは金属カバー３の上面の傾斜３ａに応じて上端が傾斜している。
【００３５】
この実施の形態によれば、器具本体７と樹脂ケース２の接触面の面積は第３の実施の形態に比べて電子部品４の配置に制約を受ける分若干広くなる可能性はあるが、点灯装置の体積を考えると、第３の実施の形態と同程度の小型化が可能である。
とくに図５に示すような灯具２６を器具本体７に取付けた照明器具にこの点灯装置Ａを取付けた場合、つぎのような利点がある。１３はランプカバー、１４は反射板、１５はランプ、１６は器具本体７に取付けられてランプカバー１３、反射板１４を取付けるとともにランプ１５を装着するランプソケットである。すなわち、点灯装置Ａの金属カバー３の傾斜により低くなった位置にランプカバー１３を位置させることができるので、傾斜部分のスペースを有効に利用することができ、照明器具としての小型化が可能となる。また器具本体７の反射板１４と点灯装置Ａとの距離も離れるので、ランプ１５からの放射熱の影響が小さくなり、部品の寿命、信頼性が向上する。
【００３６】
なお、側板２ｂはプリント基板１と同程度の高さすなわちほとんど高さのない形状にし、少なくとも側板２ａのみが必要な高さを有するものでもよい。
この発明の第５の実施の形態を図６ないし図８に示す。すなわち、この点灯装置は、プリント基板１、樹脂ケース２および金属カバー３の構成が第１の実施の形態ないし第４の実施の形態と共通し、側壁が高い点ではとくに第３の実施の形態とよく共通している。この実施の形態が前記した実施の形態と相違する点は、樹脂ケース２および金属カバー３が共通の取付具１０により器具本体（図示せず）に取付けられていることである。また金属カバー３は樹脂ケース２の器具本体への取付面以外のほぼ全体を覆っている。さらに樹脂ケース２は入出力端子６と反対側に位置する側壁の上縁２ｄの中央が低くなるように凹状に形成されている。
【００３７】
この実施の形態において、樹脂ケース２の器具本体への取付け部は、取付片８を図７に示すように樹脂ケース２の一側部の入出力端子６の両端および樹脂ケース２の他側部の中央に形成し、取付片８に挿通部９を切欠ないし孔により形成している。また金属カバー３の取付けは、取付片８に重なる重ね片２０および挿通部９に整合する挿通部２１を形成し、ねじを用いた取付具１０を挿通部２１，９に挿通し器具本体のねじ孔にねじ締めしてこれらを同時に固定している。
【００３８】
この実施の形態によれば、共通の取付具１０で点灯装置を器具本体に取付けることにより、点灯装置の確実な取付けができ、金属カバー３が外れることないので充電部を確実に保護できるとともに安全性が向上し、またプリント基板１を収納した樹脂ケース２の外側に金属カバー３を被せて取付け固定することで電子部品４が実装されたプリント基板４の充電部保護、絶縁および固定が確実に行なえる。その他第３の実施の形態等と同様な効果がある。
【００３９】
この実施の形態に関連する従来例の点灯装置として、銅鉄安定器がある。近年では省エネルギ、および高効率化の要求からランプを高周波により点灯させる高周波点灯装置がよく用いられる。これは、商用交流電源を一旦直流電圧に変換し、その直流電圧を受けて、スイッチング素子の高周波によるオン−オフ動作とそのオン−オフにより、高周波の振動を行なうＬＣ共振回路で構成されたインバータ回路の高周波電力をランプに供給するものである。このような高周波の点灯装置は、多くの電子部品から構成されてることが一般的である。そのため、このような高周波点灯装置は、プリント基板上に電子部品を実装配置し、その実装されたプリント基板を保護し絶縁するためにその外部を金属製のケースに収納されていることが一般的によく用いられたいる方法である。そのような従来例を図１１に示す。すなわち、この従来例は、プリント基板３１７に電子部品を配置し（安定器蓋部に覆われているため見えない）、その入出力端子３１６をプリント基板３１７の最外部に配置し（外部と結線接続されるために露出させている）、そのプリント基板３１７を図１１のように金属でできた安定器蓋部３１１と安定器本体部３１２でサンドイッチして絶縁しているものである。この点灯装置は、安定器本体部３１２の長手方向の両端部に設けられた取付孔３１３に取付具３１４により器具本体３１５へ取付けるものである。
【００４０】
また異なる従来例として、図１２に示すような点灯装置もある。これは図１１と同じく入出力端子３１６を有したプリント基板３１７を樹脂製の樹脂本体部３１８および樹脂蓋部３１９によりサンドイッチした方式である。図１１においてはプリント基板３１７上に配置された電子部品またはパターン部等の充電部から絶縁するために、プリント基板３１７と金属ケースとの間に絶縁シートを挿入しているのが一般的であるが、図１２においては、この絶縁シートをケースとしている例である。この方式においても器具本体３１５への取付けは樹脂本体部３１８に設けられた取付穴部３２０と取付具３１４により器具本体に取付け固定する。
【００４１】
しかし、図１１および図１２に示す従来例は、点灯装置が器具本体３１５に取付けられた後でも容易に点灯装置の蓋部３１１，３１９を開けることができ、また照明器具の運搬時に予期せぬ出来事により照明器具の落下や運搬時の振動が起きて蓋部３１１，３１９が外れる可能性がある。そのような状態により照明器具が使用されると電子回路部が露出した状態により使用され充電部露出となり安全上好ましくない。また図１２の場合、電子部品は樹脂ケースにより覆われているだけであり、強度的に弱く、防災上好ましくない点灯装置となっている。従来はこの樹脂ケースの周りを金属製器具により覆っている場合が多い。
【００４２】
そこで、この実施の形態においては、ランプを点灯させるための電子部品を実装配置したプリント基板をケース蓋部とケース本体部とによりサンドイッチする方式において、ケース本体部とケース蓋部が器具運搬時などによ起こり得る予期せぬ出来事においても、そのようなケース蓋部とケース本体部が確実に取付け固定され、また確実に取付けることにより、図１２のような点灯装置が樹脂のみで覆われることがないような点灯装置を提供することができるものである。
【００４３】
この発明の第６の実施の形態を図９および図１０に示す。すなわち、第５の実施の形態において、樹脂ケース２の開口部５を覆う金属カバー３の両側部を切除して一対の側部開口２３を形成し、樹脂ケース２の両側壁２ａ，２ｂを露出している。
その他は第１の実施の形態と同様である。
【００４４】
この発明の第７の実施の形態を図１３および図１４に示す。すなわち、図１３は、第１の実施の形態において、樹脂ケース２の一対の側板２ａ，２ｂの対向方向と交差する方向の金属カバー３の一側壁３ｄと金属カバー３の上面３ｃとの間の部分を傾斜面２５に形成している。その他は第１の実施の形態等と同様であり、共通部分に同一符号を付している。
【００４５】
図１４は、灯具２６を設けた器具本体７にこの実施の形態の点灯装置Ａを、傾斜面２５が灯具２６と反対向きとなるように取付けて、天井板２７の埋込穴２８に挿入する状態を示している。すなわち、傾斜面２５が埋込穴２８の縁部のガイドとなって点灯装置Ａを埋込穴２８内に容易に挿入することができる。取付状態（図示せず）は取付具（図示せず）により灯具が天井板の裏面に係止することにより固定される。
【００４６】
この実施の形態によれば、第１の実施の形態と同様な効果のほか、この点灯装置を器具取付板である器具本体７に取付けて天井板２７の埋込穴２８に挿通する際に、傾斜面２５を埋込穴２８の縁部にガイドさせることにより点灯装置Ａが天井板２７に衝突する確率を減らし施工性の向上に寄与する。
また仮に衝突した場合においても、傾斜面２５と上面３ｃおよび側面３ｄとなす角度は９０度以下のため、天井板２７への傷等も付きにくく、傾斜面２５によって設けられた角度によって衝突時の衝撃は分散されるため、点灯装置Ａへの機械的ストレスも減少し、天井板２７および照明器具の双方への衝撃を緩和することができる。
【００４７】
なお、この実施の形態において、点灯装置、商用電源およびランプ等を結ぶリード線は入出力端子６に接続されるようになっているが、リード線は点灯装置のプリント基板にはんだ付けされるものでもよい。
この発明の第８の実施の形態を図１５に示す。すなわち、この実施の形態が第７の実施の形態と相違する点は、傾斜面３０が金属カバー３の一側壁３ｄに対向する他側壁３ｅと金属カバー３の上面３ｃとの間の部分にも形成されていることである（図１３参照）。
【００４８】
この実施の形態によれば、図１５に破線で示す従来例の点灯装置の位置や第７の実施の形態の図１４と比較して、器具本体７に取付けられた灯具２６の一部を傾斜面３０に接近することができる。したがって、第７の実施の形態で得られた効果に加えて、器具本体７の長さを短くすることができるので、照明器具の小型化が図れ、天井への器具取付けの施工がより容易になる。
【００４９】
この発明の第９の実施の形態を図１６に示す。すなわち、この実施の形態が第８の実施の形態と相違する点は、傾斜面２５，３０に放熱孔（図示せず）を有することである。
この実施の形態によれば、灯具２６付近の空気はランプが点灯することによって温められているため、器具周囲には温度差が発生している。この温度差のため対流が発生し、器具周辺には空気の流れが発生している。温められた空気は軽いので上に流れようとする。このため点灯装置Ａの傾斜面２５，３０に放熱孔を設けることにより、図１６に矢印で示すように灯具２６からの空気の流れが点灯装置Ａにも入りやすくなり、したがって点灯装置Ａ内に空気の流れを発生させることになる。これにより、点灯装置Ａ内で発生した熱も空気の流れに助けられて点灯装置Ａ内にこもりにくくなり、点灯装置Ａの放熱効果を上げることとなる。ここで、ランプの点灯により灯具２６の周辺の空気は温められているが、点灯装置Ａへの温度のあおりとしては灯具２６と点灯装置Ａとの距離を適切に確保しておれば、傾斜面２５，３０に放熱孔を設けることによって点灯装置Ａがランプからの熱のあおりをより多く受けるということはなく、空気の対流による効果だけを得ることができる。
【００５０】
その結果、第８の実施の形態と同様な効果のほか、点灯装置Ａ内の空気の移動が促進される。
この発明の第１０の実施の形態を図１７ないし図１９に示す。すなわち、この実施の形態が第８の実施の形態と相違する点は、傾斜面３０を有する側壁３ｅの傾斜面３０の下側に切欠により形成した端子開口３ｂを有し、プリント基板１の端部の延出部１１に設けた入出力端子６を端子開口３ｂに露出するとともに、入出力端子６の端子開口３ｂに露出する部分にリード線接続部３２およびリード線の解除操作部３３を設けたことである。リード線接続部３２は速結端子を用いている。
【００５１】
入出力端子６にリード線を接続する場合、図中の端子接続操作を示す矢印方向からのリード線の挿入により容易に接続ができ、また端子に接続されているリード線を解除する場合には、端子の上面に設けられた解除操作部３３に対して、図中の端子解除操作を示す矢印の方向からの操作により解除が可能である。このとき、入出力端子６の上部の金属カバー３の傾斜面３０が設けられているため、端子解除操作の有効角度は傾斜面３０がない場合と比較して大幅に増え、かつ傾斜面３０により電子部品４の部品高さに若干の制限が加わるが、電子部品４の実装面積を減少させるものではない。このため、実装設計の際に傾斜面３０には比較的部品の高さの低い部品を配置させることにより、点灯装置のサイズを大きくすることなく、入出力端子６の接続性およびリード線の解除性のよい点灯装置を実現することができる。
【００５２】
また図１９は図１６の点灯装置に変えてこの実施の形態の点灯装置を器具本体７に取付けた例であり、入出力端子６を灯具２６側に向けている。この場合、前記したようにリード線の解除性の向上により、図１９に示すような照明器具においても、リード線解除操作が矢印の方向から可能となり、灯具２６に対して点灯装置Ａを接近して配置することにより小型化を実現する器具設計が可能となる。
【００５３】
なお、この実施の形態においては傾斜面２５はなくてもよい。
この実施の形態によれば、第８の実施の形態と同様な効果のほか、プリント基板１の部品実装面積を減らすことなく、入出力端子６のリード線の接続性および解除操作性がよく入出力端子６の操作性のよい点灯装置を提供することができる。
【００５４】
この発明の第１１の実施の形態を図２０および図２１に示す。すなわち、この実施の形態が第１０の実施の形態と相違する点は、金属カバー３の傾斜面２５を有する側壁３ｄの両側と、これに隣接する一対の側壁３ａとの間に傾斜面６０，６１を形成している。また図２０（ｂ）の正面図に示すように端子台取付部３８を設けて、端子台（図示せず）の取付けを可能にしている。また第９の実施の形態で示した放熱孔６３を傾斜面２５，３０に形成している。その他は第１０の実施の形態と同様である。
【００５５】
図２１は灯具２６を取付けた第１の器具本体４０と、点灯装置Ａを取付けた第２の器具本体４１とを連結部材４２により連結して縦に重ねたものであり、天井板の埋込穴２８を小さくすることができる。
この実施の形態によれば、側壁３ｄに傾斜面６０，６１を設けることにより、天井に照明器具を取付ける施工時において、器具本体７を埋込穴２８に挿入するときの照明器具側の埋込穴に対する面積が小さくなるため、天井板２７に照明器具が衝突するなどのトラブルがさらに減少する。
【００５６】
また図２１に示すような照明器具を考慮して点灯装置Ａは埋込穴２８に完全に収まる大きさとしている。
第７の実施の形態ないし第１１の実施の形態に関連する従来例を図２２ないし図２９に示す。すなわち、天井埋込型の照明器具は、取付け天井の開口部である埋込穴３３３を器具で覆う構造となっており、一般に図２２に示すように、内側に反射板３３０を設け、器具本体３３６に取付けたランプソケット３３７に装着したランプ３３１を囲んでいる部分の灯具３３２と天井板３３４の埋込穴３３３とは略一致する構造となっている。また天井埋込型の照明器具の施工時において、照明器具を取付ける際には、埋込穴３３３を通して天井裏側に器具を挿入する必要がある。したがって、器具本体３３６および点灯装置３３５は埋込穴３３３を通れるように少なくとも一辺が埋込穴３３３つまり灯具３３２の幅以下でなければならない。つまり図２２を上からみた図２３で説明すると、灯具２６の幅（埋込穴の直径）Ｌ1 に対し、点灯装置３３５の幅Ｌ2 はＬ1 ≧Ｌ2 でなければ照明器具を埋込穴３３３に通すことができない。ここで、図２２の照明器具を天井に取付ける場合、照明器具は図２４に示すように、まず器具本体３３６の点灯装置３３５の取付けられている側から埋込穴３３３に挿入する。その後、矢印の方向に照明器具をやや回転させるようにして器具本体３３６が完全に天井裏に収容された後、灯具３３２を埋込穴３３３に合わせて挿入し取付ける。このとき、点灯装置３３５を取付けている側の器具本体３３６を埋込穴３３３に挿入する際に、点灯装置３３５が天井板３３４に当たってしまうことがあった。これにより、点灯装置３３５の角により天井板３３４が傷ついたり、点灯装置３３５にも衝突により機械的ストレスが印加されるという問題があった。
【００５７】
また従来、直管型蛍光灯用の照明器具等に使用されている点灯装置として図２５に示すようなものがあった。３４０は金属製の安定器本体部、３４１は金属製の安定器蓋部、３４２はプリント基板、３４３はその入出力端子である。図２５の点灯装置は、照明器具とて薄型化を図るため、蓋部３４１の両側肩部に傾斜面３４４を設けている。この点灯装置を図２６に示すように照明器具に取付けることで、反射板３４６は傾斜面３４４に沿って器具天井面側に近づけることができるので器具の薄型化が実現できる。３４５は器具本体、３４７はランプである。この場合、一般的に２本のランプ３４７の間隔に対してランプ長が長いので、点灯装置もランプの長手方向に長くなっている。また点灯装置と反射板３４６とはほぼ密着しているので、入出力端子３４３は長手方向の端部に配置されている。このように、図２５のような点灯装置は、図２６のような照明器具の薄型化に対しては有効であるが、天井埋込型ダウンライト照明器具には、その効果はないため使用されていない。
【００５８】
さらに従来の点灯装置として、図２７に示すような点灯装置があった。この点灯装置は、ランプを点灯させるために組み合わされた複数の電子部品を搭載したプリント基板３５０を安定器本体部３５１に固定し、入出力端子３５２を除く部品を安定器蓋部３５３で覆っている。３５４はリード線接続部、３５５はリード線解除操作部である。入出力端子３５２は安定器蓋部３５３の外部に設置されているため、入力線および出力線の接続が容易になっている。また一般的に端子のリード線解除のための操作部３５５は端子の上部に設けられているため、図２８に矢印で示すように上方からの操作で解除が可能である。しかし、この図の矢印から明らかなように端子解除の操作は安定器蓋部３５３のため真上からの操作でなければならなず自由度が低い。なお、３５６は電子部品である。
【００５９】
これに対して、図２９のように安定器蓋部３５３の端子側の端面の位置を安定器中央部にずらすことにより端子後部の空間３５７を大きく確保することができ、矢印のように斜め方向から解除操作することができるので、端子解除の操作性は大幅は向上する。しかし、図２９から明らかなようにプリント基板３５０に搭載される電子部品３５６の実装スペースが大幅に減少する。このため、同じ電子部品３５６を使用する場合、電子部品３５６の実装スペースも等しいため、結局点灯装置のサイズが大きくなることになる。
そこで、上記の実施の形態では、施工時に天井板２７への照明器具への衝突が起こりにくい構造であり、また衝突した場合においても天井板２７および照明器具への衝撃が小さくなるような点灯装置Ａを提供するとともに、小型化を実現し、かつ入出力端子６の操作性を向上させることができる点灯装置を提供している。
【００６０】
この発明の第１２の実施の形態を図３０および図３１に示す。すなわち、第１の実施の形態において、樹脂ケース２の一対の側板２ａ，２ｂ以外の２側板に被さる金属カバー３の側板３ｄ，３ｅに通気用開口部３５，３６を形成し、端子開口３ｂも通気用開口部３６の一部を構成している。そして、この通気用開口部３５３６の一方の縁部である端子開口３ｂの縁部３７はプリント基板１の部品実装面１ａの近傍に位置している。プリント基板１の端部近傍に設けられた入出力端子６は図３１に示すようにはんだ面充電部１ｂと点灯装置外部との絶縁距離Ｘ1 を空間距離として確保できるように配置している。また通気用開口部３５のある側壁３ｄに対応する樹脂ケース２の側壁には凹部２ｄを形成しており、通気用開口部３５は凹部２ｄに位置している。その他は第１の実施の形態と同様であり、器具本体への取付構造については第５の実施の形態と共通しており、共通部分に同一符号を付している。
【００６１】
この実施の形態によれば、通気用開口部３５，３６（端子開口部３ｂを含む）を通してプリント基板１を有する樹脂ケース２の内部が通気されることにより、プリント基板１に実装された電子部品が冷却される。
この発明の第１３の実施の形態を図３２および図３３に示す。すなわち、第１２の実施の形態と相違する点は、通気用開口部３６の一部を構成する端子開口３ｂの縁部３７はプリント基板１の端面を露出させない位置となるようにプリント基板１の上面よりも高い位置に設けていることである。
【００６２】
この実施の形態によれば、入出力端子６ははんだ面充電部と点灯装置外部との絶縁距離を沿面距離で考えることができるため入出力端子６をプリント基板１の端部まで近づけることができる。その結果、点灯装置の小型化が可能となる。
この発明の第１４の実施の形態を図３４に示す。すなわち、第１３の実施の形態と相違する点は、通気用開口部（端子開口３ｂを含む）３５，３６を結ぶ通気路の幅方向の中心付近のプリント基板１に点灯装置の寿命を決定する電子部品たとえばアルミニウム電解コンデンサ部品３９を実装していることである。とくに開口部３５，３６の向き合う方向の中央付近を通る空気がもっともプリント基板１に近づくので、その付近の電子部品がもっとも冷却効果が高くなる。
【００６３】
この実施の形態によれば、電子部品４のうち寿命部品を通気路の中央付近に配置することで、寿命部品の空気の対流による冷却効果が良好になり、点灯装置が延命になる。
第１２ないし第１４の実施の形態に関連する従来例を図３５により説明する。従来の点灯装置は、プリント基板３６０上に電子部品３６４を実装配置し、その実装されたプリント基板３６０を保護・絶縁するためにその外部を金属ケース３６１に収納されていることが多い。この例は、電子部品３６４を配置したプリント基板３６０と金属ケース３６１を絶縁するために金属ケース３６１の内側の少なくとも底面および対向する一対の側面の３面に、少なくとも向いあった一対の側面の立ち上がりの高さにおよそ等しいポリエステルフィルムの絶縁シート３６２が挿入してあるため、金属ケース３６１の向いあった一対の側面の立ち上がり部には通気用の開口部を設けることができない。したがって、開口部３６３は金属カバー３６５の金属ケース３６１との嵌合部以外の部分に設けられている。そのため従来の部品配置は空気の対流を考慮したものではなかった。
【００６４】
またこのような開口部の設計では、空気の対流が電子部品３６４に十分に行き渡らず熱がこもってしまい冷却効果が低い。そこで、上記の実施の形態では樹脂ケース２の向いあった一対の側板２ａ，２ｂの間で、他の２側面に設けられる通気用開口部３５，３６を結ぶ空間の略中央部に電子部品４の内の寿命部品を配置することにより通気用開口部３５，３６からの空気の対流を有効に利用できるような点灯装置を提供している。
【００６５】
この発明の第１５の実施の形態を図３６ないし図３８に示す。すなわち、第１の実施の形態において、第１の実施の形態との相違点は、電源接続端子台４５を金属カバー３に取付けて、外部から商用電源線を接続するとともにプリント基板１に接続するものである。実施の形態では樹脂ケース２が少なくとも向い合った一対の側板２ａ，２ｂがプリント基板１の側板２ａ，２ｂ側の縁部の近傍に設けられた電子部品４の高さと略等しいかやや高く形成され、電源接続端子台４５を側板２ａ，２ｂを覆う金属カバー３の側板３ａに設けている。４６は電源線接続部、４７は送り線接続部で他の点灯装置に電源を送るものである。４８はリード線である。
【００６６】
図３７および図３８は、ダウンライト照明器具の器具本体７に点灯装置Ａを取付けた状態であり、図５または図１６に対応する。４９はランプ線、５０は電源線５１は送り線である。
この実施の形態によれば、プリント基板１を収納した樹脂ケース２を覆う金属カバー３に電源接続端子台４５を設けたため、電源接続端子台４５に接続される電源線５０たとえばＶＶＦ線などが無理やり押し込まれたり引っ張られたりしても樹脂ケース２によりその応力が吸収されるので、プリント基板１へのストレスが加わらない。
【００６７】
とくに、ダンウンライト器具のような器具構造の場合、電源接続端子台４５を金属カバー３の側面に設けることにより、電源線５０とプリント基板１からのランプ線４９が交わることなく配線することが可能となり、電源線５０を短く配線できるので、電源ラインへの端子雑音を低減でき、電源線５０やランプ線４９の外部接続端子６への誤結線を防止でき、器具配線もすっきりした形状となる。
【００６８】
この発明の第１６の実施の形態を図３９に示す。すなわち、第１５の実施の形態と相違する点は端子台４５を金属カバー３の上面３ｃに設けている。その他は第１５の実施の形態と同様である。
第１５および第１６の実施の形態に関連する従来例の点灯装置として、銅鉄安定器がある。近年では省エネルギ、および高効率化の要求からランプを高周波により点灯させる高周波点灯装置がよく用いられる。これは、商用交流電源を一旦直流電圧に変換し、その直流電圧を受けて、スイッチング素子の高周波によるオン−オフ動作とそのオン−オフにより、高周波の振動を行なうＬＣ共振回路で構成されたインバータ回路の高周波電力をランプに供給するものである。このような高周波の点灯装置は、多くの電子部品から構成されていることが一般的である。このため、このような高周波点灯装置は、プリント基板上に電子部品を実装配置し、その実装されたプリント基板を保護し絶縁するためにその外部を金属製のケースに収納されていることが一般的によく用いられている方法である。そのような従来例を図４０に示す。すなわち、この従来例は、プリント基板３７１に電子部品３７４を配置し、その入出力端子３１６をプリント基板３７１の最外部に配置し、そのプリント基板３７１を図４０のように金属ケース３７０に収納したもので、この点灯装置は金属ケース３７０が図の器具取付部３７５により器具本体に取付けることで、電子部品３７４を実装したプリント基板３７１が金属で覆われることになり、安全対策を施したものである。このような点灯装置において、外部商用電源線を接続し、また他の点灯装置への電源線を送るための電源線接続端子部３７２が図のように取付けられていることが一般的である。この電源接続端子部３７２に一旦電源線を受け、この端子部３７２からこの点灯装置への電源線接続を行い、また他の点灯装置への電源線送りをこの端子部３７２により行なうものである。
【００６９】
このような従来例の電源線接続端子部３７２への電源線は、一般にＶＶＦ線が接続されているが、ＶＶＦ線の接続は実際の現場により工事関係者により接続されることにより、また送り等の作業により、ＶＶＦ線を強い力で挿入されたり、引っ張られることが十分に考えられる。ここで、図４０および図４１に示すような従来例の点灯装置であれば、プリント基板３７１を金属ケース３７０にプリント基板取付治具により直接取付け、電源接続端子台３７２もこの金属ケース３７０の側板に取付けられているため、前記したような電源接続端子部３７２への挿入や、引っ張り等の強い力により、金属ケース３７０にその応力が加わり、プリント基板取付部にのストレスが加わったり、または金属ケース３７０が歪むことにより、金属ケース３７０がプリント基板３７１を押し込むことにより、絶縁距離不足が生じたり、最悪の場合プリント基板３７１の割れ等の可能性があった。これに対して前記した実施の形態ではこれらの課題を解消することができる。
【００７０】
【発明の効果】
請求項１記載の点灯装置によれば、電子部品を収納する樹脂ケースの開口部を金属カバーで被覆することにより、電子部品と金属カバーおよび器具本体その他の金属部との絶縁が樹脂ケースにより弾性できるので、電子部品と樹脂ケースとの距離を離す必要がなく、点灯装置の小型化が図れる。
【００７１】
また、器具本体は通常金属板が用いられるため点灯装置を器具本体に取付けると、樹脂ケースが露出する部分が少なくなり、特に外力が加わりやすいと思われる部分に金属カバーを取付けてあるので、外力に対する保護に対しても金属製外殻の従来例とほとんど変わらない効果がある。また従来例と比較して絶縁シートが不要であり、かつ樹脂製のケースを用いている分コストダウンが図れる。
【００７２】
さらに、樹脂が露出する部品がほとんどなくなるため、耐衝撃、耐火、耐熱等の安全性の面で従来例とほとんど変わらない効果がある。また金属カバーと樹脂ケースの側板を密着させることにより放熱効果が大きくなるため、部品の寿命および信頼性が向上するとともに、さらに小型化が可能となる。
【００７３】
請求項２の点灯装置によれば、請求項１記載の効果のほか、部品配置に対する設計の余裕度が増加するためさらに小型化が可能となる。
請求項３記載の点灯装置によれば、請求項１の効果のほか、器具本体と樹脂ケースの接触面の面積は電子部品の配置に制約を受ける分若干広くなる可能性があるが、点灯装置の体積を考えると小型化が可能である。とくに点灯装置の金属カバーの傾斜により低くなった位置にランプカバーを位置させることができるので、傾斜部分のスペースを有効に利用することができ、照明器具としての小型化が可能となる。また金属カバーの傾斜により器具本体の反射板と点灯装置との距離も離れるので、ランプからの放射熱の影響が小さくなり、部品の寿命および信頼性が向上する。
【００７４】
請求項４記載の点灯装置によれば、請求項１と同様な効果があるほか、共通の取付具で器具本体に取付けることにより、点灯装置の確実な取付けができ、金属カバーが外れることなく充電部を確実に保護できるとともに、安全性が向上し、またプリント基板を収納した樹脂ケースの外側を金属カバーにより取付け固定することで電子部品が実装されたプリント基板の充電部保護、絶縁および固定が確実に行なえる。
【００７５】
請求項５記載の点灯装置によれば、請求項１と同様な効果のほか、この点灯装置を器具本体に取付けて天井の埋込穴に挿通する際に、傾斜面を埋込穴の縁部にガイドさせることにより点灯装置が天井板に衝突する確率を減らし施工性の向上に寄与し、また衝突時の天井板および照明器具の双方への衝撃を緩和することができる。
【００７６】
請求項６記載の点灯装置によれば、請求項５と同様な効果のほか、器具本体に取付けられた灯具部の一部を傾斜面に接近することができるので、照明器具の小型化が図れる。
請求項７記載の点灯装置によれば、請求項６と同様な効果のほか、点灯装置内の空気の移動が促進される。
【００７７】
請求項８記載の点灯装置によれば、請求項５と同様な効果のほか、プリント基板の部品実装面積を減らすことなく、入出力端子のリード線の接続性および解除操作性がよく端子部の操作性のよい点灯装置を提供することができる。
請求項９記載の点灯装置によれば、通気用開口部を通してプリント基板を有する樹脂ケースの内部が通気されるとともに電子部品が冷却される。
【００７８】
請求項１０記載の点灯装置によれば、請求項９と同様な効果のほか、プリント基板の充電部からの沿面距離を短縮できるので小型化を図れる。
請求項１１記載の点灯装置によれば、請求項９と同様な効果のほか、電子部品の寿命が延長できるので点灯装置の寿命を延長できる。
請求項１２記載の点灯装置によれば、プリント基板を収納した樹脂ケースを覆う金属カバーに電源接続端子台を設けたため、電源接続端子台に接続される電源線たとえばＶＶＦ線などが無理やり押し込まれたり引っ張られたりしても樹脂ケースによりその応力が吸収されるので、プリント基板へのストレスが加わらない。
【００７９】
請求項１３記載の点灯装置によれば、請求項１２と同様な効果のほか、電源線とプリント基板からのランプ線が交わることなく配線することが可能となり、電源線を短く配線できるので、電源ラインへの端子雑音を低減でき、電源線やランプ線の外部接続端子への誤結線を防止でき、器具配線もすっきりした形状となる。
【００８０】
請求項１４記載の点灯装置によれば、請求項１２と同様な効果がある。
【図面の簡単な説明】
【図１】この発明の第１の実施の形態の金属カバーを外した状態の斜視図である。
【図２】第２の実施の形態の金属カバーを外した状態の斜視図である。
【図３】第３の実施の形態の金属カバーを外した状態の斜視図である。
【図４】第４の実施の形態の金属カバーを外した状態の斜視図である。
【図５】第４の実施の形態を適用した照明器具の側面図である。
【図６】第５の実施の形態の取付具の取付前の斜視図である。
【図７】その樹脂ケースと金属カバーの分解斜視図である。
【図８】プリント基板の斜視図である。
【図９】第６の実施の形態を取付具の取付前の斜視図である。
【図１０】その金属カバーの斜視図である。
【図１１】第５の実施の形態に関連する従来例の斜視図である。
【図１２】その他の従来例の斜視図である。
【図１３】第７の実施の形態の斜視図である。
【図１４】点灯装置を取付けた照明器具の天井取付け過程を示す断面図である。
【図１５】第８の実施の形態を取付けた照明器具の天井取付け過程を示す断面図である。
【図１６】第９の実施の形態を取付けた照明器具の天井取付状態を示す断面図である。
【図１７】第１０の実施の形態の斜視図である。
【図１８】その側面図である。
【図１９】その点灯装置を取付けた照明器具の天井取付状態を示す断面図である。
【図２０】第１１の実施の形態を示し、（ａ）は平面図、（ｂ）は正面図、（ｃ）は背面図、（ｄ）は右側面図、（ｅ）は左側面図である。
【図２１】その点灯装置を取付けた照明器具を示し、（ａ）は天井取付状態の断面図、（ｂ）はその平面図である。
【図２２】第７ないし第１１の実施の形態に関連する従来例の点灯装置を取付けた照明器具の天井取付状態の断面図である。
【図２３】その平面図である。
【図２４】天井取付け過程の断面図である。
【図２５】点灯装置の別の従来例の斜視図である。
【図２６】その点灯装置を照明器具に取付けた状態の斜視図である。
【図２７】点灯装置のさらに別の従来例の斜視図である。
【図２８】その側面図である。
【図２９】そのさらに別の従来例の側面図である。
【図３０】第１２の実施の形態の斜視図である。
【図３１】その部分断面図である。
【図３２】第１３の実施の形態の斜視図である。
【図３３】その部分断面図である。
【図３４】第１４の実施の形態の斜視図である。
【図３５】第１２ないし第１４の実施の形態に関連する従来例の破断斜視図である。
【図３６】第１５の実施の形態の斜視図である。
【図３７】点灯装置を器具本体に取付けて照明器具を天井に取付けた状態の断面図である。
【図３８】その底面図である。
【図３９】第１６の実施の形態の斜視図である。
【図４０】第１５および第１６の実施の形態に関連する従来例の斜視図である。
【図４１】その断面図である。
【図４２】従来例の断面図である。
【図４３】他の従来例の断面図である。
【図４４】さらに他の従来例の断面図である。
【図４５】さらに他の従来例の斜視図である。
【符号の説明】
１    プリント基板
２    樹脂ケース
２ａ，２ｂ    側板
３    金属カバー
３ｂ    端子開口
４    電子部品
５    開口部
１０    取付具
２５    傾斜面
３０    傾斜面
３２    リード線接続部
３３    解除操作部
３５，３６    通気用開口部
３７    縁部
４５    電源接続端子台
６０，６１    傾斜面
【図１】
0003900582.tif 000002
【図２】
0003900582.tif 000003
【図３】
0003900582.tif 000004
【図４】
0003900582.tif 000005
【図５】
0003900582.tif 000006
【図６】
0003900582.tif 000007
【図７】
0003900582.tif 000008
【図８】
0003900582.tif 000009
【図９】
0003900582.tif 000010
【図１０】
0003900582.tif 000011
【図１１】
0003900582.tif 000012
【図１２】
0003900582.tif 000013
【図１３】
0003900582.tif 000014
【図１４】
0003900582.tif 000015
【図１５】
0003900582.tif 000016
【図１６】
0003900582.tif 000017
【図１７】
0003900582.tif 000018
【図１８】
0003900582.tif 000019
【図１９】
0003900582.tif 000020
【図２０】
0003900582.tif 000021
【図２１】
0003900582.tif 000022
【図２２】
0003900582.tif 000023
【図２３】
0003900582.tif 000024
【図２４】
0003900582.tif 000025
【図２５】
0003900582.tif 000026
【図２６】
0003900582.tif 000027
【図２７】
0003900582.tif 000028
【図２８】
0003900582.tif 000029
【図２９】
0003900582.tif 000030
【図３０】
0003900582.tif 000031
【図３１】
0003900582.tif 000032
【図３２】
0003900582.tif 000033
【図３３】
0003900582.tif 000034
【図３４】
0003900582.tif 000035
【図３５】
0003900582.tif 000036
【図３６】
0003900582.tif 000037
【図３７】
0003900582.tif 000038
【図３８】
0003900582.tif 000039
【図３９】
0003900582.tif 000040
【図４０】
0003900582.tif 000041
【図４１】
0003900582.tif 000042
【図４２】
0003900582.tif 000043
【図４３】
0003900582.tif 000044
【図４４】
0003900582.tif 000045
【図４５】
0003900582.tif 000046